(57)【要約】【課題】空気清浄機を設けたガス温風暖房装置の構成に関するものであり、温風暖房機の上部に空気清浄部を配した場合、空気清浄の能力を確保するためフィルターを十分に大きくすると、機器内に無駄なスペースが出来、大きくなってしまうという課題を有していた。【解決手段】温風暖房機の上部に空気清浄部を配する構成において、高電圧を供給してコロナ放電により、モーター２４を用いて吸い込まれたほこりを帯電させ、下流にある多孔状集塵フィルターで２２捕集する構成により、空気清浄機の能力を確保しながら、コンパクトにすることができる【選択図】  図１
2004170016.tif 000002
【特許請求の範囲】
【請求項１】
ガスを燃焼するバーナーと、燃焼により発生した排気ガスと外部より取り込んだ空気を混合する燃焼室と、温風を送出するための対流用ファンと、室温を検出する室温検出器と、温風を吹出す温風吹出し口で構成された温風暖房部と、前記温風暖房部の上部に設けられた空気清浄部において、高電圧をかけそこから発生するコロナ放電によりほこりを帯電させる電極と、電極の下流に設けられ帯電したほこりを集塵する多孔状集塵フィルターと、空気を取り入れ送供するファンと、ファンを駆動するモーターを備え、空気清浄部の厚さを温風暖房部の厚さ以下にした空気清浄機付温風暖房装置。
【請求項２】
ファンをクロスフロー式にした請求項１記載の空気清浄機付温風暖房装置。
【請求項３】
多孔状集塵フィルターは、ハニカムあるいは多角形の形状を並べ板状にした樹脂に帯電させた請求項１または２記載の空気清浄機付温風暖房装置。
【請求項４】
多孔状集塵フィルターの下流側に活性炭でできている脱臭フィルターを設けた請求項１から３のいずれか１項記載の空気清浄機付温風暖房装置。
【請求項５】
モーターをＤＣモーターにした請求項１から４のいずれか１項記載の空気清浄機付温風暖房装置。
【発明の詳細な説明】
【０００１】
【発明の属する技術分野】
本発明は、空気清浄機付温風暖房機の空気清浄機部の構成に関するものである。
【０００２】
【従来の技術】
従来の空気清浄機付温風暖房装置を図３に示す。バーナー１にて供給されたガスの燃焼を行う。燃焼により発生した排気ガスと空気を混合する燃焼室２がある。バーナー１の下方には温風３を送出するための対流ファン４を設けている。５は対流ファン４を回転させる対流モーターである。対流ファン４の前方には温風吹出し口５が取り付けられている。ケース６の後面には対流用空気７を取り入れるための対流用フィルター８がある。その内側には室温を検出するための室温検出器９がもうけられている。
【０００３】
温風暖房部の上部に空気清浄部を配している。１０はほこりやにおいを除去するための機械式のフィルターであり、ほこりを除去する繊維と、においを除去する活性炭で構成されている。このフィルター１０の面積を大きくとることにより、圧力損失が低下して、効率が上昇し能力が大きくなる。従って、燃焼室の前方までこのフィルター１０を配置させている。１１は外気を取り入れ送風し、しかも風量を多段階に切り換えできる空気清浄用ファンであり、フィルター１０の内側に設けられている。空気清浄用ファン１１の運転の入り切りを行う運転スイッチ１２が操作部にある。
【０００４】
フィルター１０を保護するグリル１３がフィルター１０の前面に取り付けられている。
【０００５】
次に温風暖房部の動作について説明する。バーナー１でガスを燃焼させ、発生する高温の排気ガスと、燃焼室２の燃焼風路内で対流用フィルター８を通過した対流用空気が混合される。混合された温風は、対流用ファン４によって前面下部の温風吹出し口５から温風になって送出され暖房を行う。室温検出器９が室温を検出して、室温が設定温度になるようにバーナー１での燃焼をコントロールする。
【０００６】
次に空気清浄機部の動作について説明する。運転スイッチ１２が押されると、空気清浄用ファン１１が回転する。空気清浄用ファン１１は、交流の１００Ｖを供給することにより運転するコンデンサー誘導型のモーターであり、タップの切り換えにより回転数の切り換えを行う。急速，強、中、弱等の運転をスイッチで行う。空気清浄用ファン１１が運転すると、グリル１３から空気が吸い込まれる。このときフィルター１０を通過する際に、においは活性炭で吸着され、ほこりは繊維部で取り除かれ、空気が清浄される。そして清浄された空気は空気清浄吹出し口１４より送出される。
【０００７】
また、このフィルター１０は、寿命が１年から２年であり、使用者がこれを交換する。この際フィルター１０をカバーしているグリル１３を取り外す必要がある。特に脱臭部は活性炭を使用しているため、寿命が短い。
【０００８】
空気清浄機の能力を確保するためには、フィルターの体積を大きくして、圧力損失を小さくする必要がある。圧力損失を小さくすると空気清浄用ファン１１が小さくても風量を確保でき、空気清浄機の能力を大きくとることが可能になる。
【０００９】
【発明が解決しようとする課題】
しかしながら、上記従来の構成では、フィルターの体積を大きくするために、空気清浄用ファン１１の前面よりもさらに下の燃焼室２の前方まで伸ばして、さらに厚さを厚くして体積を確保している。そのフィルターの下方には使用されていない空間１５があり、無駄なスペースになっている。従って、機器としての奥行きが厚くなり、コンパクト性に欠け、広い設置場所を必要とし、しかも大きいため、持ち運びにも苦労するという課題を有していた。
【００１０】
【課題を解決するための手段】
本発明は、上記課題を解決するために、高電圧をかけそこから発生するコロナ放電によりほこりを帯電させる電極と、電極の下流に設けられ帯電したほこりを集塵する多孔状集塵フィルターと、空気を取り入れ送供するファンと、ファンを駆動するモーターを備え、空気清浄部の厚さを温風暖房部の厚さ以下にして機器の厚さを薄くして、機器をコンパクトにする。
【００１１】
【発明の実施の形態】
本発明は、ガスを燃焼するバーナーと、燃焼により発生した排気ガスと外部より取り込んだ空気を混合する燃焼室と、温風を送出するための対流用ファンと、室温を検出する室温検出器と、温風を吹出す温風吹出し口で構成された温風暖房部と、前記温風暖房部の上部に設けられた空気清浄部において、高電圧をかけそこから発生するコロナ放電によりほこりを帯電させる電極と、電極の下流に設けられ帯電したほこりを集塵する多孔状集塵フィルターと、空気を取り入れ送供するファンと、ファンを駆動するモーターを備え、空気清浄部の厚さを温風暖房部の厚さ以下にして機器の厚さをコンパクトにしたものである。
【００１２】
請求項２は、ファンをクロスフロー式にしたものである。ほこりの集塵方式をコロナ放電方式とすることによって、圧力損失の小さい多孔状集塵フィルターを使うことができるので、クロスフローファンの小さな圧力でしか風量を出せないものでも十分となり、このファン特有の長さを機器の横幅まで利用し、しかも径を小さく構成できるのでよりコンパクト化が図れる。
【００１３】
請求項３は、ハニカムあるいは多角形の形状を並べ板状にした樹脂に帯電させた多孔状集塵フィルターを設けた。よって、多孔状集塵フィルターの圧力損失がより少なくなる。
【００１４】
請求項４は、多孔状集塵フィルターの下流側に活性炭でできている脱臭フィルターを設けたものである。よって、ここで、空気中の臭いを吸着することができる。
【００１５】
請求項５は、モーターをＤＣモーターにしたものである。よって、外寸を小さく回転数をあげることが可能なので、更に機器のコンパクト化が可能となる。
【００１６】
【実施例】
以下、本発明の実施例について図面に基づき説明する。
【００１７】
（実施例１）
図１は、本発明の空気清浄付温風暖房機の断面図を示すものである。図１において、温風暖房部は従来例と同一であり、説明は省略する。
【００１８】
温風暖房部の上部に空気清浄部を配している。２０は高電圧を供給するトランスである。２１はその電圧をコロナ放電に変える電極であり、数個の先端の尖った針状の金属で構成されたり、タングステンの線で構成されている。２２は電極よりも下流に設けられた多孔状集塵フィルターである。この多孔状集塵フィルターはガラス繊維や樹脂を繊維状にして織ったものや、あるいは樹脂を格子状にして帯電させてものがある。このフィルター２２は集塵部のほかに脱臭部として活性炭を一体にすることもできる。２３はファンで、汚れた空気を取り入れ、浄化された空気を外部に放出する役割がある。２４はファンを回転させるモーターである。この電極２１や多孔状集塵フィルター２３を保護するグリル２６が前面に取り付けられている。２５は制御装置であり、トランス２０、モーター２４の運転を制御している。
【００１９】
次にその動作について説明する。運転スイッチ１２を押すと、モーター２４が運転して、ファン２３が回転する。すると室内の汚れた空気がグリル２６から吸い込まれる。これと同時にトランス２０から高電圧が電極２１に供給される。すると尖った針状の先端２１ａからコロナ放電がはじまり、プラスあるいはマイナスイオンが放出され、そこを通過するほこりをプラスあるいはマイナスに帯電させる。帯電したほこりは、下流にある多孔状集塵フィルター２２に集塵される。この多孔状集塵フィルター２２もプラスあるいはマイナスに帯電させてあるため、ほこりはこの多孔状集塵フィルター２２の電荷に吸い寄せられる。多孔状集塵フィルター２２はガラス繊維や樹脂を繊維状にして編みこんだもので、例えば図２に示すような外観のものがあり、（ａ）にはハニカム状のもの、（ｂ）には格子状のものを示した。この多孔状集塵フィルター２２は、帯電したほこりを引き寄せ、効率よく集塵することができる。従来の空気清浄フィルターは、ほこりを帯電させず、空気清浄フィルターのみで集塵しているため、空気清浄フィルターの繊維の密度を高くしないと効率が上がらず、すると圧力損失が大きくなってしまう。そうなると風量がへり、所定の能力を出すことができない。圧力損失を減らすためには、空気清浄フィルターの容積を大きくする必要があり、表面積と厚さを大きくすることが求められる。本発明は、電極２１からコロナ放電してほこりを帯電させ下流にある多孔状集塵フィルター２２に集塵させるため、多孔状集塵フィルター２２の繊維の密度を高くする必要がなく、圧力損失を小さくすることができ、従って多孔状集塵フィルター２２の容積を小さくすることができる。そのため、モーター２４の能力が小さくても所定の能力を確保でき、空気清浄部をコンパクトにすることができる。
【００２０】
制御装置２５は、運転スイッチ１２が押されると、トランス２０から電極２１に高電圧を供給し、さらにモーター２４を運転させる。制御装置２５と、モーター２４、トランス２０、バーナー１とは図の破線で電気的に結ばれている。
【００２１】
次に温風暖房部の動作について説明する。バーナー１でガスを燃焼させ、発生する高温の排気ガスと、燃焼室２の燃焼風路内で対流用フィルター８を通過した対流用空気が混合される。混合された温風は、対流用ファン４によって前面下部の温風吹出し口５から温風になって送出され、暖房を行う。室温検出器９が室温を検出して、室温が設定温度になるようにバーナー１での燃焼をコントロールする。
【００２２】
従来のように大きな空気清浄フィルターを必要としないため、空気清浄部をコンパクトにすることができる。つまり空気清浄フィルター２２を燃焼室２前まで伸ばす必要がなく、温風暖房部の大きさで機器の横幅と奥行きの大きさを決めることができる。
【００２３】
また、ファン２３をクロスフロー式にしたもので、圧力損失の小さい多孔状集塵フィルター２２を使用できるため、小さな圧力でしか必要な風量を出すことができないクロスフロー式のファン２３を採用できる。これによりクロスフロー特有の長さを機器の横幅まで利用でき、しかも径を小さくすることにより、よりコンパクト化を可能にする。
【００２４】
また、ハニカムあるいは多角形の形状を並べ板状にした樹脂に帯電させ、多孔状集塵フィルター２２にしたものである。これにより圧力損失を少なくすることができ、空気清浄部をコンパクトにすることができる。
【００２５】
多孔状集塵フィルター２２の下流側に活性炭でできている脱臭フィルター２６を設けている。図３にその断面図を示す。多孔状集塵フィルター２２とファン２３の間に脱臭フィルター２６を設置するもので、ここで臭いを吸着させる。
【００２６】
また、モーター２４をＤＣモーターにしている。ＤＣモーターは、外寸は小さくても回転数を上げることができるため、機器に組み込んだ場合よりコンパクトにすることができる。
【００２７】
【発明の効果】
以上のように本発明によれば、高電圧を電極に供給してコロナ放電を発生させ、ほこりを帯電し、下流にある多孔状集塵フィルターでほこりを捕集する方式により、空気清浄部をコンパクトにすることが可能になる。空気清浄部を温風暖房部の上部に配置しても、横幅・奥行きは温風暖房部の大きさで決めることができ、機器の大きさをコンパクトにすることが可能である。さらに軽量化できるため、持ち運び・移動が楽になる。
【図面の簡単な説明】
【図１】本発明の実施例における空気清浄機付ガス温風暖房装置の断面図
【図２】同実施例の多孔状集塵フィルターの外観図
【図３】同実施例における空気清浄機付ガス温風暖房装置の脱臭フィルターを設けた場合の断面図
【図４】従来の空気清浄機付ガス温風暖房装置の断面図
【符号の説明】
１  バーナー
２  燃焼室
３  対流用ファン
５  温風吹出し口
９  室温検出器
２１  電極
２２  多孔状集塵フィルター
２３  ファン
２４  モーター
【図１】
2004170016.tif 000003
【図２】
2004170016.tif 000004
【図３】
2004170016.tif 000005
【図４】
2004170016.tif 000006